(57)【要約】【課題】小型化および組立てが容易な整流機構を備えたディスク駆動装置を提供する。【解決手段】  ケース１０内に設けられたモータ１８により複数枚のディスク１６ａが支持され回転される。複数枚のディスク間には、ディスクの表面と隙間を置いて対向した整流板６０が設けられている。整流板は、円弧状の第１整流部６２と第２整流部６４とを一体に備えている。第１整流部は、ディスクの外周縁に沿って延びた第１周縁および第１周縁に隙間を置いて対向した第２周縁を有し、キャリッジアッセンブリ２２の移動領域を除いてディスクの外周縁部と対向している。第２整流部は、第１整流部の一端部から前記ディスクの中心部に向かって放射状に延出しキャリッジアッセンブリの移動領域に対向している。【選択図】    図１
2006099892.tif 000002
【特許請求の範囲】
【請求項１】
ケースと、
回転自在なハブを有し前記ケース内に設けられたモータと、
それぞれ前記モータに支持され回転される複数枚のディスクと、
前記ディスクに対して情報処理を行うヘッドと、
前記ケース内に設けられ、前記ディスクに対して前記ヘッドを移動自在に支持したキャリッジアッセンブリと、
前記複数枚のディスク間に配置され前記ディスクの表面と隙間を置いて対向した整流板と、を備え、
前記整流板は、前記ディスクの外周縁に沿って延びた第１周縁および第１周縁に隙間を置いて対向した第２周縁を有し、前記キャリッジアッセンブリの移動領域を除いて前記ディスクの外周縁部と対向した円弧状の第１整流部と、前記第１整流部の一端部から前記ディスクの中心部に向かって放射状に延出し前記キャリッジアッセンブリの移動領域に対向した第２整流部と、を一体に備えているディスク駆動装置。
【請求項２】
前記第２整流部は、前記ディスクの回転方向に関して、前記キャリッジアッセンブリの移動領域に対し上流側に位置している請求項１に記載のディスク駆動装置。
【請求項３】
前記整流板は、前記第１整流部の他端部から前記ディスクの中心部に向かって放射状に延出し前記キャリッジアッセンブリの移動領域に対向した第３整流部を一体に備えている請求項２に記載のディスク駆動装置。
【請求項４】
前記第２整流部は、前記ディスクの回転方向に関して、前記キャリッジアッセンブリの移動領域に対し下流側に位置している請求項１に記載のディスク駆動装置。
【請求項５】
前記整流板は、前記第１整流部の一端から前記第２整流部を超えて、かつ、前記ディスクの外周縁に沿って延出した突出部を一体に有している請求項２又は３に記載のディスク駆動装置。
【請求項６】
前記各ディスクは、外周縁部に位置した第１非データ記録領域、内周縁部に位置した第２非データ記録領域、および前記第１、第２非データ記録領域間に位置したデータ記録領域を有し、
前記ディスクの外周縁から前記第２非データ記録領域までの径に対して、前記第１整流部の第１周縁と第２周縁との間隔は、５０％以下に形成されている請求項１ないし５のいずれか１項に記載のディスク駆動装置。
【請求項７】
前記第２整流部は、前記第１整流部から前記ディスクの第２非データ領域と対向する位置まで延びている請求項６に記載のディスク駆動装置。
【請求項８】
前記各ディスクは、外周縁部に位置した第１非データ記録領域、内周縁部に位置した第２非データ記録領域、および前記第１、第２非データ記録領域間に位置したデータ記録領域を有し、
前記第１整流部は、前記ディスクの第１非データ記録領域に対向しているとともに前記ディスク側に突出し前記ディスク方向への前記整流板の移動を規制する第１段部を有している請求項１ないし５のいずれか１項に記載のディスク駆動装置。
【請求項９】
前記第１整流部の少なくとも一部は前記ディスクの外周縁よりも外側に延出した延出部を有し、前記第１段部は前記延出部に設けられている請求項８に記載のディスク駆動装置。
【請求項１０】
前記第１段部は、テーパ状に形成されている請求項８又は９に記載のディスク駆動装置。
【請求項１１】
前記第２整流部は、前記第１整流部から前記ディスクの第２非データ領域と対向する位置まで延出し、
前記第２整流部は、前記ディスクの第２非データ記録領域に対向しているとともに前記ディスク側に突出し前記ディスク方向への前記整流板の移動を規制する第２段部を有している請求項８ないし１０のいずれか１項に記載のディスク駆動装置。
【請求項１２】
前記整流板の第１整流部および第２整流部は金属により形成され、前記第１段部および第２段部は合成樹脂により形成されている請求項１１に記載のディスク駆動装置。
【請求項１３】
前記整流板の第１整流部および第２整流部は金属により形成され、表面の少なくとも一部が合成樹脂により被覆されている請求項１１に記載のディスク駆動装置。
【請求項１４】
前記整流板は、それぞれ前記第１整流部の外周縁から外側に突出しているとともに前記ケースに取り付けられた少なくとも３つの支持部を有し、
前記整流板の重心は、前記支持部を頂点とする多角形の中に位置している請求項１に記載のディスク駆動装置。
【請求項１５】
前記少なくとも３つの支持部の内、１つは、前記第２整流部の基端の位置で前記第１整流部に設けられている請求項１４に記載のディスク駆動装置。
【請求項１６】
前記ケースは、前記モータが実装された底壁と、底壁の周囲に立設された側壁と、前記側壁に形成され前記ディスクの外周縁に隙間を置いて対向した円弧状の内面と、それぞれ前記円弧状の内面の一部を切り欠いて前記側壁に形成された複数の固定部と、を有し、
前記整流板の支持部は、前記側壁の固定部内に固定され、
前記整流板は、少なくとも１つの支持部に立設され前記固定部を塞ぐように前記円弧状の内面と整列して延びた隔壁部を有している請求項１４又は１５に記載のディスク駆動装置。
【請求項１７】
前記整流板は合成樹脂により形成され、前記各支持部はねじを挿通可能な透孔と、前記透孔に嵌合された金属カラーと、を有している請求項１４ないし１６のいずれか１項に記載のディスク駆動装置。
【発明の詳細な説明】
【技術分野】
【０００１】
この発明は、高速で回転するディスクを備えた磁気ディスク装置等のディスク駆動装置に関する。
【背景技術】
【０００２】
一般に、磁気ディスク装置は、ケース内に配設された磁気ディスク、磁気ディスクを支持および回転駆動するスピンドルモータ、磁気ヘッドを支持したキャリッジアッセンブリ、キャリッジアッセンブリを駆動するボイスコイルモータ、基板ユニット等を備えている。
【０００３】
スピンドルモータは円筒状のハブを有し、このハブに、複数枚の磁気ディスクおよびスペーサリングが交互に積層されている。そして、これらの磁気ディスクおよびスペーサリングは、ハブの先端に取り付けられたディスククランパによりハブ外周に固定されている。
【０００４】
このような磁気ディスク装置において、高速なデータ処理を行うためには磁気ディスクの回転数を上げる必要がある。そのため、近年、高速回転型の磁気ディスク装置が研究されている。しかし、磁気ディスクが高速回転すると、磁気ディスクと同一回転方向の気流が発生し、この気流の乱れにより磁気ディスクが振動するディスクフラッタと呼ばれる現象が生じる。また、乱流によりキャリッジアッセンブリの振動が発生する。この場合、磁気ディスクに対する磁気ヘッドの位置決め精度が低下し、記録密度の向上に支障を生じる。
【０００５】
上記のような問題を解決するため、ディスクの回転によって引き起こされるディスク周方向の空気流を円滑にするシュラウドを備えた磁気ディスク装置が提案されている（例えば、特許文献１）。このシュラウドは円弧状に形成され、ディスクの外周を取り巻くように設けられている。シュラウドのない周面には櫛歯が設立され、これらの櫛歯はディスクの最外周から内周に入り込むようにディスク間に間挿されている。
【０００６】
また、キャリッジアッセンブリの下流側に整流翼を設け、キャリッジ周りの乱流の発生を抑制し、キャリッジアッセンブリの振動を低減して位置決めを改善する構成が提案されている（例えば、特許文献２）
【特許文献１】特開２０００−３２２８７０号公報
【特許文献２】特許第３３４８４１８号公報
【発明の開示】
【発明が解決しようとする課題】
【０００７】
しかしながら、上記構成の磁気ディスク装置において、シュラウドを装置に組み込む場合、積層配置された磁気ディスクに対し、その側方から挿入する必要がある。そのため、装置の組立てが困難であるとともに、製造工程が複雑となる。
【０００８】
また、上記のようなシュラウド、およびキャリッジアッセンブリに衝突する乱流を整流する整流翼をそれぞれ別々にケース内に実装する構成が考えられる。３．５インチ以上の比較的大型の磁気ディスク装置では、比較的装置外形に余裕があるため、上記のような複数の部材の実装は容易である。しかしながら、２．５インチ以下の小型磁気ディスク装置においては、実装スペースが限られているため実現が難しい。更に、組立て工数が増加し、製造コスト増加を招く。
【０００９】
この発明は以上の点に鑑みなされたもので、その目的は、小型化および組立てが容易な整流機構を備えたディスク駆動装置を提供することにある。
【課題を解決するための手段】
【００１０】
上記目的を達成するため、この発明の形態に係るディスク駆動装置は、ケースと、回転自在なハブを有し前記ケース内に設けられたモータと、それぞれ前記モータに支持され回転される複数枚のディスクと、前記ディスクに対して情報処理を行うヘッドと、前記ケース内に設けられ、前記ディスクに対して前記ヘッドを移動自在に支持したキャリッジアッセンブリと、前記複数枚のディスク間に配置され前記ディスクの表面と隙間を置いて対向した整流板と、を備え、  
前記整流板は、前記ディスクの外周縁に沿って延びた第１周縁および第１周縁に隙間を置いて対向した第２周縁を有し、前記キャリッジアッセンブリの移動領域を除いて前記ディスクの外周縁部と対向した円弧状の第１整流部と、前記第１整流部の一端部から前記ディスクの中心部に向かって放射状に延出し前記キャリッジアッセンブリの移動領域に対向した第２整流部と、を一体に備えている。
【発明の効果】
【００１１】
本発明によれば、整流板は円弧状の第１整流部および放射状に延出した第２整流部を一体に備えていることから、小型化および組立てが容易な整流機構を備えたディスク駆動装置を提供することができる。
【発明を実施するための最良の形態】
【００１２】
以下図面を参照しながら、この発明の実施の形態に係るディスク駆動装置としてハードディスクドライブ（以下、ＨＤＤと称する）について詳細に説明する。図１ないし図３に示すように、ＨＤＤは基台として機能するケース１０を備えている。ケース１０は、矩形状の底壁１２と底壁の周囲に立設された側壁１４と一体に有し、上面の開口した矩形箱状に形成されている。ケース１０の開口は、複数のねじにより側壁１４に固定される図示しないトップカバーによって閉塞される。
【００１３】
ケース１０内には、底壁１２に取り付けられたスピンドルモータ１８と、このスピンドルモータによって支持および回転駆動される２枚の磁気ディスク１６ａ、１６ｂとが配設されている。図１では、上側の磁気ディスク１６ｂを省略して示している。ケース１０内には、磁気ディスク１６ａ、１６ｂに対して情報の記録、再生を行なう複数の磁気ヘッド、これらの磁気ヘッドを磁気ディスク１６ａ、１６ｂに対して移動自在に支持したキャリッジアッセンブリ２２、キャリッジアッセンブリを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、およびプリアンプ等を有する基板ユニット２１が収納されている。底壁１２の外面には、基板ユニット２１を介してスピンドルモータ１８、ＶＣＭ２４、および磁気ヘッドの動作を制御する図示しないプリント回路基板がねじ止めされている。
【００１４】
キャリッジアッセンブリ２２は、底壁１２上に固定された軸受部２６と、軸受部から延出した４本のアーム２８と、を備えている。これらのアーム２８は、磁気ディスク１６ａ、１６ｂの表面と平行に、かつ、互いに所定の間隔を置いて位置しているとともに、軸受部２６から同一の方向へ延出している。キャリッジアッセンブリ２２は、弾性変形可能な細長い板状のサスペンション３０を備えている。サスペンション３０は、板ばねにより構成され、その基端がスポット溶接あるいは接着によりアーム２８の先端に固定され、アームから延出している。なお、各サスペンション３０は対応するアーム２８と一体に形成されていてもよい。
【００１５】
サスペンション３０の延出端には磁気ヘッド３２が取り付けられている。磁気ヘッド３２は、ほぼ矩形状のスライダとこのスライダに形成された記録再生用のＭＲ（磁気抵抗）ヘッドとを有し、サスペンション３０の先端部に形成されたジンバル部に固定されている。それぞれサスペンション３０に取り付けられた４つの磁気ヘッド３２は、２個づつ互いに向かい合って位置し、各磁気ディスクを両面側から挟むように配設されている。
【００１６】
キャリッジアッセンブリ２２は、軸受部２６からアーム２８と反対の方向へ延出した支持枠３４を有し、この支持枠により、ＶＣＭ２４の一部を構成するボイスコイル３６が支持されている。支持枠３４は、合成樹脂によりボイスコイル３６の外周に一体的に成形されている。ボイスコイル３６は、底壁１２上に固定された一対のヨーク３８（一方のみを図示する）間に位置し、これらのヨーク、および一方のヨークに固定された磁石３９とともにＶＣＭ２４を構成している。ボイスコイル３６に通電することにより、軸受部２６の回りでキャリッジアッセンブリ２２が回動し、磁気ヘッド３２は磁気ディスク１６ａ、１６ｂの所望のトラック上に移動および位置決めされる。キャリッジアッセンブリ２２およびＶＣＭはヘッドアクチュエータを構成している。
【００１７】
ランプロード機構２５は、底壁１２に設けられているとともに磁気ディスク１６ａ、１６ｂの外側に配置されたランプ４０と、各サスペンション３０の先端から延出したタブ４２と、を備えている。キャリッジアッセンブリ２２が回動し、磁気ヘッド３２が磁気ディスク１６ａ、１６ｂの外側の退避位置まで回動する際、各タブ４２は、ランプ４０に形成されたランプ面と係合し、その後、ランプ面の傾斜によって引き上げられ、磁気ヘッド３２をアンロードする。
【００１８】
磁気ディスク１６ａ、１６ｂは、直径６５ｍｍ（２．５インチ）に形成され、その中央部に内孔を有している。各磁気ディスクの上面および下面は、外周縁部に位置した第１非データ記録領域Ｄ１、内周縁部に位置した第２非データ記録領域Ｄ２、およびこれら第１、第２非データ記録領域間に位置したデータ記録領域Ｄ３をそれぞれ有している。
【００１９】
スピンドルモータ１８は、ロータとして機能するハブ４６を備えている。２枚の磁気ディスク１６ａ、１６ｂは互いに同軸的にハブ４６に嵌合され、ハブの軸方向に沿って所定の間隔をおいて積層されている。磁気ディスク１６ａ、１６ｂは、スピンドルモータ１８により所定の速度でハブ４６と一体に回転駆動される。
【００２０】
詳細に説明すると、スピンドルモータ１８のハブ４６は上端が閉塞した円筒状に形成されている。ハブ４６は図示しない軸受を介してスピンドルに回転自在に支持されている。ハブ４６の下端部外周には、フランジ状のディスク受け部４８が形成されている。２枚の磁気ディスク１６ａ、１６ｂは、その内孔にハブ４６が挿通された状態でハブの外周面に嵌合され、ディスク受け部４８上に積層されている。また、ハブ４６の外周にはスペーサリング５０が嵌合され、磁気ディスク１６ａ、１６ｂ間に挟まれた状態で積層されている。スペーサリング５０は磁気ディスク１６ａ、１６ｂの第２非データ記録領域Ｄ２に接触している。
【００２１】
ハブ４６の上端面には、ねじ５４によって円盤状のディスククランパ５２がねじ止めされている。ディスククランパ５２の外周部は上段の磁気ディスク１６ａの第２非データ記録領域Ｄ２に当接し、２枚の磁気ディスク１６ａ、１６ｂおよびスペーサリング５０をハブ４６のディスク受け部４８に向かって押圧している。これにより、磁気ディスク１６ａ、１６ｂおよびスペーサリング５０は、ディスク受け部４８とディスククランパ５２との間に挟持され、互いに密着した状態でハブ４６に固定保持されている。そして、ディスククランパ５２は、ハブ４６および磁気ディスク１６ａ、１６ｂと一体に図１中の矢印Ｃ方向に回転駆動される。
【００２２】
ケース１０の側壁１４の内、磁気ディスク１６ａ、１６ｂの外側に隣接して位置した部分は、磁気ディスクの外周縁に所定の隙間を置いて対向した円弧状の内面５６を有し、シュラウドを構成している。また、側壁１４には、内面５６の一部、ここでは、４箇所が外側に向かって切欠くことにより、底壁の上端面よりも一段低い４つの固定部５８が形成されている。これらの固定部５８には、後述する整流板が取り付けられている。
【００２３】
図１ないし図４に示すように、ＨＤＤは、磁気ディスク１６ａ、１６ｂの回転によって引き起こされるディスク周方向の空気流を整流し円滑にする整流板６０を備えている。整流板６０は、ほぼＣ字形の円弧状に形成された第１整流部６２、第１整流部の一端から放射状に延出した第２整流部６４、および第１整流部の他端から放射状に延出した第３整流部６５を有し、例えば、合成樹脂により一体に成形されている。
【００２４】
第１整流部６２は、磁気ディスク１６ａ、１６ｂの外周縁に沿って延びた第１周縁および第１周縁６２ａに隙間を置いて対向した第２周縁６２ｂを有し、キャリッジアッセンブリ２２の移動領域を除いて磁気ディスクの外周縁部と対向して配置されている。後述するように、磁気ディスク１６ａ、１６ｂの外周縁から第２非データ記録領域Ｄ２までの径を１００％とした場合、第１整流部６２の第１周縁６２ａと第２周縁６２ｂとの間隔ｄは、５０％以下に形成されている。第１整流部６２は、磁気ディスク１６ａ、１６ｂの回転により生じる乱流を整流し、磁気ディスクの振動を抑制する。
【００２５】
第２整流部６４は、第１整流部６２の一端部から磁気ディスク１６ａ、１６ｂの中心部に向かって第２非データ領域Ｄ２と対向する位置まで放射状に延出している。第２整流部６４は、第１整流部６２側の基端から延出端に向かって先細形状に形成されている。また、第２整流部６４は、磁気ディスク１６ａ、１６ｂの回転方向Ｃに関して、キャリッジアッセンブリ２２の移動領域に対し上流側に位置し、キャリッジアッセンブリの移動領域と対向している。これにより、第２整流部６４は、キャリッジアッセンブリ２２に衝突する空気流を低減し、キャリッジアッセンブリの振動を抑制する。
【００２６】
第３整流部６５は、第１整流部６２の他端部から磁気ディスク１６ａ、１６ｂの中心部に向かって第２非データ領域Ｄ２と対向する位置まで放射状に延出している。第３整流部６５は、第１整流部６２側の基端から延出端に向かって先細形状に形成されている。また、第３整流部６５は、磁気ディスク１６ａ、１６ｂの回転方向Ｃに関して、キャリッジアッセンブリ２２の移動領域に対し下流側に位置し、キャリッジアッセンブリの移動領域と対向している。これにより、第３整流部６５は、キャリッジアッセンブリ２２近傍の空気流を整流し、キャリッジアッセンブリの振動を抑制する。
【００２７】
整流板６０は、それぞれ第１整流部６２の外周縁から外側に突出した少なくとも３つ、ここでは、４つの支持部６６を一体に有している。４つの支持部６６は円周方向に沿ってほぼ等間隔に設けられ、その内、２つの支持部は、第２整流部６４の基端部、および第３整流部６５の基端部にそれぞれ設けられている。各支持部６６には透孔が形成され、更に、透孔には金属製のカラー６８が嵌合されている。
【００２８】
図１ないし図３に示すように、整流板６０の４つの支持部６６は、ケース１０の側壁１４に形成された固定部５８内に配置され、それぞれカラー６８に挿通されたねじ７０により固定部にねじ止めされている。この場合、各支持部６６に埋め込まれたカラー６８によってねじ座面を受けることにより、樹脂がクリープ現象でへたり、ネジ取り付けが緩むリスクを回避し、整流板６０を確実に安定して支持することができる。また、第２整流部６４の基端および第３整流部６５の基端にそれぞれ支持部６６を設けることにより、第２整流部６４および第３整流部６５の剛性を高くし、衝撃印加時の変位を低減することができる。
【００２９】
各支持部６６には円弧状の隔壁部７２が立設され、支持部と一体に形成されている。隔壁部７２は、固定部５８を塞ぐように円弧状の内面５６と整列して延びている。これにより、内面５６に形成された切欠きを塞ぎ、シュラウドによるディスクフラッタの低減効果を補っている。
【００３０】
ＨＤＤの組立て時、整流板６０は、磁気ディスク１６ａをスピンドルモータ１８のハブ４６にスタックした後、この磁気ディスク１６ａに重ねてスタックされる。その際、整流板６０の安定が悪いと、ケース１０の固定部５８に整流板を置いた場合、整流板が傾き、磁気ディスク１６ａに接触して、磁気ディスクにダメージを与える恐れがある。そこで、整流板６０を固定部５８に置いたときに傾かないようにするため、整流板６０は、その重心Ｇが４つの支持部６６を頂点とする多角形の中に位置するように形成されている。具体的な構成を説明すると、図４に示すように、整流板６０の取り付けはねじ７０により行われるが、ねじ止め箇所は４箇所あり、それを結んだ４角形の中に整流板６０の重心Ｇが位置している。
【００３１】
図２ないし図４に示すように、第１整流部６２は、磁気ディスク１６ａ、１６ｂの第１非データ記録領域Ｄ１に対向しているとともに各磁気ディスク側に突出した第１段部７４を一体に有している。第２整流部６４は、磁気ディスク１６ａ、１６ｂの第２非データ記録領域Ｄ２に対向しているとともに各磁気ディスク側に突出した第２段部７６を一体に有している。第３整流部６５は、磁気ディスク１６ａ、１６ｂの第２非データ記録領域Ｄ２に対向しているとともに各磁気ディスク側に突出した第３段部７７を一体に有している。
【００３２】
第１、第２、第３整流部６２、６４、６５と各磁気ディスク１６ａ、１６ｂ表面との隙間は、約０．３〜０．５ｍｍに設定され、第１、第２、第３段部７４、７６、７７とディスク表面との隙間は、約０．２〜０．３ｍｍに設定されている。
【００３３】
整流板６０は衝撃が印加された場合、変位が生じ、磁気ディスク１６ａ、１６ｂに衝突する虞がある。しかし、磁気ディスク１６ａ、１６ｂの第１非データ記録領域Ｄ１と対向する位置で第１整流部６２に第１段部７４を設けることにより、万一衝撃で整流板６０が変位した場合、磁気ディスクの最大の変位はその最外周で生じるため、第１段部７４が磁気ディスクの第１非データ記録領域に接触し、第１整流部のそれ以上の変位を規制する。第１非データ記録領域Ｄ１には、データが記録されていないため、データ破損の危険はなく、信頼性の高い構成とすることができる。
【００３４】
また、磁気ディスク１６ａ、１６ｂの中心部に向かって突出している第２および第３整流部６４、６５は、衝撃印加時に他の部分に比べ相対的に大きく変位する。本実施形態では、第２および第３整流部６４、６５の延出端には第２および第３段部７６、７７が設けられ、磁気ディスク１６ａ、１６ｂの第２非データ記録領域Ｄ２と対向している。そのため、万一衝撃印加時に変位しても、第２および第３段部７６、７７が磁気ディスク１６ａ、１６ｂの第２非データ記録領域Ｄ２に接触し、第２および第３整流部のそれ以上の変位を規制する。第２非データ記録領域Ｄ２には、データが記録されていないため、データ破損の危険はなく、信頼性の高い構成とすることができる。
【００３５】
上記のように構成されたＨＤＤによれば、磁気ディスク１６ａ、１６ｂ間に整流板６０を設け、磁気ヘッド３２およびキャリッジアッセンブリ２２と干渉しない範囲で、磁気ディスクに接近して配置している。この整流板６０により、磁気ディスク１６ａ、１６ｂの回転によって生じる表面上の気流を整流することができる。従って、磁気ディスク１６ａ、１６ｂが高速で回転した場合でも、磁気ディスク付近で発生する気流を整流し、気流の乱れに起因するディスクフラッタを低減することができる。これにより、磁気ディスクの振動を低減し磁気ディスクに対するヘッド位置決め精度が向上したＨＤＤを得ることができる。
【００３６】
整流板６０の第１整流部６２、第２整流部６４、および第３整流部６５は一体に形成されているため、部品点数が少なく、小型のＨＤＤにおいても容易に実装することが可能となる。同時に、組立て時、単一部品の整流板６０を一度で組み込むことこができ、製造工程数の削減が可能となる。
【００３７】
一体化した整流板６０は、磁気ディスク１６ａ、１６ｂの内周まで覆った形状の整流板に対して、モータ消費電力の増加を少なく抑えつつ、位置決め精度の改善を図ることができる。一般に、整流板６０を磁気ディスク近傍に設置すると磁気ディスクの風損が増加し、スピンドルモータ１８の消費電流が増大するという問題がある。図５は、整流板６０がない場合を面積比０とし、磁気ディスクの外周縁から内周の第２非データ記録領域Ｄ２までの領域を覆った整流板の面積を１００％とした時、横軸を整流板面積比、縦軸を消費電流の増加分として示している。整流板６０の面積が増加するに従い、消費電流が増加、しかも漸増することがわかる。
【００３８】
図６は、横軸を整流板面積比、縦軸を磁気ヘッドの位置決め精度の改善量として示している。この図から、整流板６０の面積が増加すると位置決め精度は改善するものの、改善の度合いは漸減していくことがわかる。
【００３９】
図５および図６に、磁気ディスクの外周縁から内周の第２非データ記録領域Ｄ２までの領域を覆った整流板（内周まで最大覆った整流板）、本実施形態のように第１、第２、第３整流部を有した整流板（突起付き整流板）のレベル、および第１整流部のみを備えた整流板（外周のみの整流板レベル）を示した。これらの図から、本実施形態に係る整流板６０は、内周まで最大覆った整流板に比較して、消費電流の増加を少なく抑えつつ、かつ前者に匹敵する位置決め精度の改善効果を得られることがわかる。
【００４０】
なお、このときの突起付き整流板の第１整流部６２の第１周縁６２ａと第２周縁６２ｂとの間隔ｄは、磁気ディスクの外周縁から内周の第２非データ記録領域Ｄ２までの距離（半径の差）の約１／４に設定されている。
【００４１】
このようなことから、本実施形態によれば、磁気ディスク１６ａ、１６ｂの外周縁から第２非データ記録領域Ｄ２までの距離（半径の差）を１００％とした場合、第１整流部６２の第１周縁６２ａと第２周縁６２ｂとの間隔ｄは、５０％以下、望ましくは、１０％〜３０％に形成されている。
【００４２】
上述した第１の実施形態において、整流板６０は、第１、第２、第３整流部６２、６４、６５を一体に備えた構成としたが、図７に示すように、第１および第２整流部６２、６４のみを備えた構成としてもよい。また、図８に示すように、第１および第３整流部６２、６５のみを備えた構成としてもよい。なお、図８に示す実施形態おいて、第３整流部６５は、この発明における第２整流部に対応している。支持部６６の設置数は、４つに限らず、必要に応じて増減可能である。また、第２および第３整流部６４、６５の基端に設けられた支持部６６の隔壁部を省略してもよい。
【００４３】
次に、この発明の第２の実施形態に係るＨＤＤについて説明する。図９に示すように、第２の実施形態によれば、整流板６０は、ほぼＣ字形の円弧状に形成された第１整流部６２および第１整流部の一端から放射状に延出した第２整流部６４を一体に有している。第２整流部６４は、磁気ディスク１６ａの回転方向に関し、キャリッジアッセンブリの移動領域に対して上流側に位置している。第２整流部６４は、磁気ディスク１６ａ内周の第２非データ記録領域と対向する位置まで延出しているとともに、先細形状に形成されている。
【００４４】
整流板６０は、第１整流部６２の一端から第２整流部６４を超えて、かつ、磁気ディスク１６ａの外周縁に沿って延出した突出部８０を一体に有している。突出部８０は、第１整流部６２と同様に、磁気ディスクの外縁を覆ってディスクフラッタを押さえ効果を有している。ディスクフラッタが磁気ヘッドの位置決めに及ぼす効果を低減するためには、磁気ディスク外縁のうちなるべく磁気ヘッド位置に近い部分を整流板で覆うとより効果的となる。突出部８０を設けることにより、第２整流板６３の位置、および第２整流板基端に設けられた支持部６６のねじ止め位置にかかわらず、磁気ヘッドに近いぎりぎりの位置まで磁気ディスク外縁を覆うことが可能となり、よりディスクフラッタを効果的に低減することができる。
【００４５】
図９および図１０に示すように、第１整流部６２の少なくとも一部、ここでは、支持部６６の近傍領域は、磁気ディスク１６ａの外周縁を越えて外側に延出した延出部８２を有している。図１０（ａ）に示すように、第１整流部６２の第１段部７４は、延出部８２に形成されている。図１０（ｂ）に示すように、第１整流部６２の内、延出部８２が設けられていない領域は、その外径が磁気ディスク１６ａ、１６ｂの外径と同等もしくはより小さく形成され、かつ整流板外周部に衝撃対策用の段部が形成されていない。
【００４６】
ケース１０に整流板６０を取り付ける際の製造性を考えると、整流板６０とケース１０との間には、必ずある程度の嵌め合いしろ（隙間）Ｋを持たせる必要がある。隙間Ｋを十分に取った場合、その隙間の大きさが、ケース１０のシュラウドと磁気ディスクとの間の隙間より大きくなってしまう場合も考えられる。この際、整流板６０の外周は磁気ディスクの外周より内側にある。この状態で、整流板６０外周に第１段部７４を設けると、第１段部の内側の角が磁気ディスク１６ａ、１６ｂのデータ記録領域Ｄ３最外周より内側に来るため、衝撃印加時に、データ記録領域が傷ついてしまう。これでは第１段部を付けた本来の効果を得ることができない。
【００４７】
これを避けるため、図１０（ａ）に示すように、ケース１０の固定部５８をシュラウドよりも一段外に広げて、ケース１０と整流板６０との間に嵌め合いしろＫを確保しつつ、整流板の外周が磁気ディスク１６ａ、１６ｂの外周よりも外に位置するように形成している。これにより、衝撃対策用の第１段部７４が磁気ディスク１６ａ、１６ｂのデータ記録領域Ｄ３最外周より外側に来るため、衝撃印加時にデータ記録領域が傷つくことがない。第１整流部６２に第１段部７４を設ける場合、第１整流部の外周が磁気ディスクの外周よりも外にある延出部８２を極力広くし、可能ならば全周に渡って設けておくことが望ましい。
【００４８】
ＨＤＤの寸法的な問題や他の部品との兼ね合いから、必ずしも延出部８２を第１整流部６２の全周に設けることが困難となる。この場合、図１０（ｂ）にしめすように、延出部８２を持たない領域が存在するが、先に述べた理由により、このような領域には対衝撃用の段部を設けないままにしたようがよい。第１整流部６２の一部分に第１段部７４が無くても、隣接した部分に第１段部があればそこが磁気ディスクの変位を規制するため、結果として整流板と磁気ディスクは接触せず、データ記録領域を保護することができる。
【００４９】
第１整流部６２に設けた第１段部７４は、必ずしも直角な段に限らず、図１１に示すように、テーパ状の段部としてもよい。前述の通り、整流板６０とケース１０との間には隙間Ｋが存在するため、整流板取り付けの際にはこの隙間分だけ左右方向の位置ズレが生じ得る。第１段部７４を有した整流板６０の場合、この位置ズレによって、第１段部の内側の角が磁気ディスク１６ａ、１６ｂのデータ記録領域Ｄ３最外周より内側に入り込んでしまう可能性がある。しかし、図１１に示すように、第１段部７４をテーパ状とすることにより、整流板６０の取付位置のズレにかかわらず、衝撃印加時に整流板は必ず磁気ディスク最外周のエッジの部分で磁気ディスクと接触することになる。従って、データ記録領域の損傷を確実に防止することが可能となる。
【００５０】
なお、上述した第２の実施形態において、他の構成は前述した第１の実施形態と同一であり、同一の部分には同一の参照符号を付してその詳細な説明を省略する。そして、第２の実施形態においても、第１の実施形態と同様の作用効果を得ることができる。
【００５１】
整流板６０の材料としては、金属もしくは樹脂の使用が妥当と考えられる。金属はヤング率が高く衝撃に対して強いが、外周部に段を付けるといった複雑な３次元形状にしようとすると加工コストがかかり、部品形状の精度も低下する。一方で、樹脂はモールド工法によって複雑な形状も低コストで容易に作成することができるが、その分ヤング率が低く、衝撃に弱い。
【００５２】
そこで、図１２に示すように、整流板６０の平面部分を金属平板で形成し、衝撃対策用の第１段部７４および第２段部７６の部分のみを樹脂で形成してもよい。このような構造によれば、整流板６０の大部分が金属製であるため高い対衝撃性を有したまま、樹脂を使って第１および第２段部７４、７６の複雑な３次元形状を自由に成形することができる。この際、金属部分は２次元加工のみとなるため、厚さ方向の形状精度を高められる。さらに、衝撃印加時に磁気ディスクと接する第１および第２段部７４、７６が樹脂製のため、接触の際にもダストが発生しにくいという利点もある。  
また、図１３に示すように、樹脂で金属平板の表面を覆う構造としてもよい。この構成においても、金属部分は平板であるため、３次元加工を必要としない構造になっている。
【００５３】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５４】
上述した実施の形態においては、２枚の磁気ディスクを備えた構成について説明したが、磁気ディスクの枚数は必要に応じて増加可能である。磁気ディスクを３枚以上とした場合、上記と同様の構成を有した整流部材を複数設け、順次積層して配置すればよい。
【図面の簡単な説明】
【００５５】
【図１】図１は、この発明の第１の実施形態に係るＨＤＤを示す平面図。
【図２】図２は、図１の線Ａ−Ａに沿った上記ＨＤＤの断面図。
【図３】図３は、図１の線Ｂ−Ｂに沿った上記ＨＤＤの断面図。
【図４】図４は、上記ＨＤＤの整流板を示す平面図。
【図５】図５は、整流板の面積比と消費電流増加との関係を示す図。
【図６】図６は、整流板の面積比と位置決め精度改善との関係を示す図。
【図７】図７は、整流板の他の形態を示す平面図。
【図８】図８は、整流板の他の形態を示す平面図。
【図９】図７は、この発明の第２の実施形態に係るＨＤＤの整流板を示す平面図。
【図１０】図１０は、上記第２の実施形態に係るＨＤＤを示す断面図。
【図１１】図１１は、上記第２の実施形態に係るＨＤＤにおける整流板の変形例を示す断面図。
【図１２】図１２は、この発明の他の形態に係る整流板を示す断面図。
【図１３】図１３は、この発明の更に他の形態に係る整流板を示す断面図。
【符号の説明】
【００５６】
１０…ケース、  １２…底壁、  １４…側壁、  １６ａ、１６ｂ…磁気ディスク、
１８…スピンドルモータ、  ２２…キャリッジアッセンブリ、  ３２…磁気ヘッド、
４６…ハブ、  ６０…整流板、  ６２…第１整流部、  ６４…第２整流部、
６５…第３整流部、  ６６…支持部、  ７２…隔壁部、  ７４…第１段部、
７６…第２段部、  ７７…第３段部、  ８０…突出部、  ８２…延出部
【図１】
2006099892.tif 000003
【図２】
2006099892.tif 000004
【図３】
2006099892.tif 000005
【図４】
2006099892.tif 000006
【図５】
2006099892.tif 000007
【図６】
2006099892.tif 000008
【図７】
2006099892.tif 000009
【図８】
2006099892.tif 000010
【図９】
2006099892.tif 000011
【図１０】
2006099892.tif 000012
【図１１】
2006099892.tif 000013
【図１２】
2006099892.tif 000014
【図１３】
2006099892.tif 000015